(57)【要約】【課題】立体視を可能とし、臨場感を提供することが可能なたカードセットを提供することを目的とする。【解決手段】カードセットは、第１面１１０を挟んで配置された第２面１２０及び第３面１３０を有する本体１００と、第２面１２０に所定間隔をおいて並列に取り付けられた第１及び第２接眼レンズ１２１及び１２２と、第３面１３０に設けられているとともに、第１及び第２接眼レンズに対応して右眼用画像及び左眼用画像を並列に配置したカードを複数枚収容可能な収容部１３１と、第２及び第３面を第１面に対してほぼ垂直に配置したときに第１及び第２接眼レンズに対して、収容部に収容されたカードの右眼用画像及び左眼用画像を露出する開口部１３３と、を備えている。【選択図】　　図１
2004008455.tif 000002
【特許請求の範囲】
【請求項１】
第１面を挟んで配置された第２面及び第３面を有する本体と、
前記第２面に所定間隔をおいて並列に取り付けられた第１及び第２接眼レンズと、
前記第３面に設けられているとともに、前記第１及び第２接眼レンズに対応して右眼用画像及び左眼用画像を並列に配置したカードを複数枚収容可能な収容部と、
前記第２及び第３面を前記第１面に対してほぼ垂直に配置したときに前記第１及び第２接眼レンズに対して、前記収容部に収容されたカードの右眼用画像及び左眼用画像を露出する開口部と、
を備えたことを特徴とするカードセット。
【請求項２】
前記開口部の近傍に設けられているとともに、カードの右眼用画像及び左眼用画像に基づく立体視を誘導する一対のマークを備えたことを特徴とする請求項１に記載のカードセット。
【請求項３】
前記第１面及び第２面にわたって設けられているとともに、利用者が前記第２面の第１及び第２接眼レンズを覗き込んだときに鼻の前記本体への接触を回避するように形成された第１切欠部を備えたことを特徴とする請求項１に記載のカードセット。
【請求項４】
前記収容部は、カードの取出及び装填を可能とするための第２切欠部を備えたことを特徴とする請求項１に記載のカードセット。
【請求項５】
前記本体は、前記第３面の裏面に宛名書き欄を有することを特徴とする請求項１に記載のカードセット。
【請求項６】
前記カードは、宛名書き欄を有するポストカードであることを特徴とする請求項１に記載のカードセット。
【請求項７】
前記本体は、第１面、第２面、第３面の順に重なるように三つ折可能に形成されたことを特徴とする請求項１に記載のカードセット。
【請求項８】
第１と第２の撮像カメラを有し、所定位置の被写体を立体撮像する立体撮像手段と、
予め複数の背景画像データを格納した画像メモリ手段と、
前記画像メモリ手段に格納されている複数の背景画像データの中から任意の背景画像データを選択する背景画像手段と、
選択された背景画像データに応じて、前記第１と第２の撮像カメラの光軸の交差位置を自動制御する光軸方向制御手段と、
前記撮像手段で撮像された被写体画像データと前記選択された背景画像データとを合成する合成手段と
を具備したことを特徴とする立体撮像装置。
【請求項９】
前記背景画像データは、立体画像データであることを特徴とする請求項８記載の立体撮像装置。
【発明の詳細な説明】
【０００１】
【発明の属する技術分野】
この発明は、立体映像撮像装置とその映像を転写した複数のカード、例えば風景写真を備えたポストカードを収容するカードセットに関する。
【０００２】
【従来の技術】
従来より立体映像を撮像する写真機やビデオカメラが知られている。一方では、２次元の人物画を写真撮影するインスタントボックスも知られている。
【０００３】
また、風景写真などを備えた複数のポストカードを収容したカードセットが販売されている。このようなポストカードに備えられた風景写真は、２次元的に観察される。
【０００４】
【発明が解決しようとする課題】
利用者が通常の風景写真を２次元的に観察した場合、臨場感に欠ける。観光地などにおいて、思い出に残るような美しい風景や名所などを、よりリアルに利用者に提供することが要求されている。
【０００５】
そこで、この発明の１つの目的は、上述した問題点に鑑みなされたものであって、その目的は、立体視を可能とし、臨場感を提供することが可能なたカードセットを提供することにある。
【０００６】
またこの発明の他の目的は、立体視を可能とする写真を得る場合、その輻輳角を自動的に調整し得、背景画と人物との立体視において、違和感のない立体写真を得ることができる立体撮像装置を提供することを目的とする。
【０００７】
【課題を解決するための手段】
上記課題を解決し目的を達成するために、この発明のカードセットは、第１面を挟んで配置された第２面及び第３面を有する本体と、前記第２面に所定間隔をおいて並列に取り付けられた第１及び第２接眼レンズと、前記第３面に設けられているとともに、前記第１及び第２接眼レンズに対応して右眼用画像及び左眼用画像を並列に配置したカードを複数枚収容可能な収容部と、前記第２及び第３面を前記第１面に対してほぼ垂直に配置したときに前記第１及び第２接眼レンズに対して、前記収容部に収容されたカードの右眼用画像及び左眼用画像を露出する開口部と、を備えたことを特徴とする。
【０００８】
またこの発明の装置は、背景として挿入される画の選択に応じて、２つの撮像カメラの光軸方向を制御し、予め設定された輻輳角に自動的に設定する手段を有した立体撮像装置を提供することを目的とする。
【０００９】
【発明の実施の形態】
以下、この発明のカードセットの一実施の形態について図面を参照して説明する。
【００１０】
図１及び図２に示すように、この発明のカードセットは、三つ折可能に形成された本体１００を備えている。この本体１００は、ほぼ中央に配置された第１面１１０、この第１面１１０を挟んで両側に配置された第２面１２０及び第３面１３０を有している。
【００１１】
第２面１２０は、所定間隔、例えば人間の平均的な両目の間隔程度の距離をおいて並列に取り付けられた第１接眼レンズ１２１及び第２接眼レンズ１２２を備えている。第１接眼レンズ１２１は、利用者の右眼に対応して設けられている。また、第２接眼レンズ１２２は、利用者の左眼に対応して設けられている。
【００１２】
第１切欠部１２３は、第１面１１０及び第２面１２０にわたって設けられている。この第１切欠部１２３は、利用者が第２面１２０の第１接眼レンズ１２１及び第２接眼レンズ１２２を覗き込んだときに鼻が本体１００へ接触するのを回避するように形成されている。
【００１３】
第３面１３０は、複数枚のカードを収容可能に形成された収容部１３１を備えている。この収容部１３１は、その一端側に第２切欠部１３２を備えている。この第２切欠部１３２は、収容部１３１へのカードの取り出し及び装填を可能とするように形成されている。また、この収容部１３１は、第２面１２０及び第３面１３０を第１面１１０に対してほぼ垂直に配置したときに第１接眼レンズ１２１及び第２接眼レンズ１２２に対して、収容部１３１に収容されたカードを露出するとともに、カードの縁を保持するような大きさに形成された矩形状の開口部１３３を備えている。
【００１４】
この収容部１３１は、図３の断面図に示すように、複数枚のカードを収容するための収容空間１３４を備えている。この収容空間１３４は、第２切欠部１３２が形成された端部以外を閉塞されて形成されている。これにより、カードは、第２切欠部１３２を形成した端部のみから取り出し及び装填がなされる。
【００１５】
また、第３面１３０は、図２に示すように、開口部１３３とは反対の面に、宛名を記載するための宛名書き欄１３５を備えている。このように、本体１００は、複数枚のカードを収容して郵送可能なカードセットとして利用することが可能である。なお、本体１００は、第３面１３０に宛名書き欄を必ず設ける必要はなく、第１面１１０に宛名書き欄を設けても良い。また、本体１００は、観光地名、カードセット名、観光地の風景写真などを宛名書き欄の代わりに第３面１３０に設けて、単なるカードセットとして利用しても良い。
【００１６】
ところで、図４の（ａ）に示すように、この収容部１３１に収容されるカード２００は、その一方の面に、第１接眼レンズ１２１及び第２接眼レンズ１２２に対応して並列に配置された右眼用画像２１０及び左眼用画像２２０を備えている。
【００１７】
また、図４の（ｂ）に示すように、カード２００は、その他方の面に、宛名を記載するための宛名書き欄２３０を備えている。このように、カード２００は、ポストカードとして利用することが可能である。なお、カード２００は、宛名書き欄を必ず設ける必要はなく、単なるカードとして利用しても良いし、宛名書き欄を右眼用画像及び左眼用画像を備えた面と同一面に設けても良い。
【００１８】
また、図１に示すように、第３面１３０における開口部１３３の近傍、例えば、第３面１３０を第１面に対してほぼ垂直に配置したときに第１面１１０に近接する開口部１３３の下方には、カードの右眼用画像及び左眼用画像に基づく立体視を誘導する一対のマーク１４１、１４２が設けられている。マーク１４１は、利用者の右眼に対応して設けられている。また、マーク１４２は、利用者の左眼に対応して設けられている。
【００１９】
上述したように、本体１００は、図５の（ａ）に示すように、三つ折可能に形成されている。このとき、本体１００は、その第１面１１０、第２面１２０、及び第３面１３０の順に重なるように折り畳まれている。通常、本体１００は、その収容部１３１に複数枚のカードを収容した状態で三つ折に畳まれている。そして、本体１００は、図５の（ｂ）に示すように、第３面１３０の一方の面、すなわち本体を折り畳んだ時に表面となる面に形成された宛名書き欄１３５を正面にしてセットされている。
【００２０】
このようなカードセットにおいて、立体視を行う使用方法について説明する。
【００２１】
すなわち、図６に示すように、本体１００を三つ折に畳まれた状態から開放し、第１面１１０に対して第２面１２０及び第３面１３０をほぼ垂直に配置する。そして、利用者は、右眼で第１接眼レンズ１２１を覗き込み、左眼で第２接眼レンズ１２２を覗き込む。このとき、利用者は、より立体視を容易とするために、右眼で第１接眼レンズ１２１を介してマーク１４１を観察し、左眼で第２接眼レンズ１２２を介してマーク１４２を観察する。そして、利用者は、マーク１４１とマーク１４２とが重なるように見えたタイミングで、マーク１４１及び１４２の上方に位置するカードの右眼用画像２１０及び左眼用画像２２０を観察することにより、これらそれぞれの画像に基づく両眼視差によって立体視することが可能となる。
【００２２】
上述したように、この発明のカードセットによれば、立体視を可能とするための機器及びこの機器に対応した両眼用の１組の画像を有するカードを一体的に収容しているため、別個の機器を必要とすることなく臨場感溢れる風景などの画像をよりリアルに提供することが可能となる。
【００２３】
以上説明したように、この発明によれば、立体視を可能とし、臨場感を提供することが可能なたカードセットを提供することができる。
【００２４】
次に図４（ａ）、図４（ｂ）に示した立体写真付カードを作成する装置について説明する。
【００２５】
次に、本発明の立体撮像装置について説明する。
【００２６】
図７において、５００は、簡易ハウスである。この簡易ハウス５００の内部には、照明５０１、立体撮像装置５０２が配置されている。ユーザは、この簡易ハウス５００内で、椅子５０３に座り、料金を料金投入部５０４に投入する。すると、写真撮影の案内が音声あるいは表示で行なわれる。ユーザは、背景画像選択部５０５を選択して、背景画像を選択するすることができる。背景画像としては、例えば、現在簡易ハウス５００が設置されている観光地の名所などの風景画である。ユーザが背景画像を選択すると、音声による案内があり、ユーザは、ポーズをとり撮影を待つ。撮影が終わると、音声により、撮影が終了しましたという案内がある。
【００２７】
ユーザは、簡易ハウス５００の外で待つことになる。図示していないが、簡易ハウス５００の内部には、プリント装置が設けられており、このプリント装置により、撮影した画像と、背景画像が合成された立体写真がプリントアウトされる。
【００２８】
図８（Ａ）、図８（Ｂ）は、本発明の装置により得られた立体写真の模式図である。図８（Ａ），図８（Ｂ）において、４０１と４０２は、立体写真を模式的に示している。また、同じ立体撮像装置で撮像された人物４０１を示している。人物４２１は椅子５０３に座っている。図８（Ａ）の写真４０１は、背景画として、池４３１に鴨４３２が泳いでいる背景画を選択した場合である。鴨４３２と人物４２１との大きさのバランスは自然である。図８（Ｂ）の写真４０２は、背景画として雄大な山波４４１、４４２を選択した場合である。この場合は、人物４２１は、小さく写っている。
【００２９】
図８（Ａ）と図８（Ｂ）の写真４０１、４０２の大きさ（面積）は同じである。そして、これらの写真４０１、４０２は、図７に示した簡易ハウス５００内で撮影されたものである。椅子５０３と立体撮像装置５０２との距離も同じ条件である。しかしながら、図８（Ａ）、図８（Ｂ）の写真４０１、４０２を比べると分るように、被写体としての人物４２１の大きさが異なる。そして、選択された背景画に応じてサイズのバランスが得られている。
【００３０】
これは立体撮像装置が、背景として挿入される画の選択に応じて、２つの撮像カメラの光軸方向を制御し、予め設定された輻輳角に自動的に設定するように構成されているからである。
【００３１】
つまり、第１と第２の撮像カメラを有し、所定位置の被写体を立体撮像する立体撮像手段と、予め複数の背景画像データを格納した画像メモリ手段と、前記画像メモリ手段に格納されている複数の背景画像データの中から任意の背景画像データを選択する背景画像手段と、選択された背景画像データに応じて、前記第１と第２の撮像カメラの光軸の交差位置を自動制御する光軸方向制御手段と、前記撮像手段で撮像された被写体画像データと前記選択された背景画像データとを合成する合成手段とを備えている。
【００３２】
次に、図９を参照して立体撮像装置の撮像原理について説明する。図９（Ａ）は、左右のカメラ５０Ｌ，５０Ｒの光軸ＡＬ、ＡＲの交差点Ｐ１が被写体５１上にある。この状態で撮像した被写体像は、図９（ＡＡ）の写真５２に示すように、カメラ５０Ｌ，５０Ｒの片方のビューファインダーで覗いたイメージとほぼ同じサイズであり、かつカメラ５０Ｌ，５０Ｒと被写体Ｐ１の距離感も実際の撮像時とほぼ同じ感覚の像Ｐ１１（例えば図８（Ａ）に示した写真）となる。
【００３３】
しかし、フォーカス及びズームが図９（Ａ）と同じ条件で、光軸ＡＬ、ＡＲの交差点が図９（Ｂ）に示すように、被写体５１の奥、つまり交差点Ｐ２の位置にあると、図９（ＢＢ）に示すような写真を得ることになる。つまり、被写体像Ｐ１１は、写真５５の実平面から浮き上がった、つまり前面に突出した像となる。また逆に、フォーカス及びズームが図９（Ａ）と同じ条件で、光軸ＡＬ、ＡＲの交差点が図９（Ｃ）に示すように、被写体５１の手前、つまり交差点Ｐ３の位置にあると、図９（ＣＣ）に示すような写真（例えば図８（Ｂ）に示した写真）を得ることになる。つまり、被写体像Ｐ１１は、写真５５の実平面から奥まった、つまり後方に後退した像となる。
【００３４】
図１０は、本発明に係る立体撮像装置の構成例を示す図である。第１と第２のカメラ５０Ｌ、５０Ｒは、基台５５に間隔をおいて配置され、撮像方向は同方向を向いている。このカメラ５０Ｌ，５０Ｒは、軸５６Ｌ、５６Ｒを中心に水平面に沿って回転自在である。この回転駆動は、カメラ調整部６００に配置された輻輳角調整モータにより実行される。カメラ調整部６００には、更にズーム調整モータ、フォーカス調整モータも含まれる。
【００３５】
輻輳角調整モータにより、カメラ５０Ｌ，５０Ｒの光軸ＡＬ，ＡＲの交差点が調整される。この交差点の例は、図９（Ａ）、（Ｂ）、（Ｃ）で説明した。交差点の位置は、操作及び背景画面選択部６０１で、背景画がユーザにより選択することにより、自動的に設定される。つまり、操作及び背景画選択部６０１から交差点を設定するための制御信号（背景画選択信号）が、カメラ角調整部６００に与えられる。そのほか、ズームやフォーカスの制御信号も与えることができるが、ここでは、ズームやフォーカスも背景画が選択されたときに自動的に与えられるものとする。これはユーザの操作を簡単にするためである。
【００３６】
背景画の選択信号は、背景画像記憶部６０２にも与えらえる。これにより、背景画記憶部６０２から、画像合成時に読み出すべき背景画像データが決定される。一方、背景画像が選択された後、カメラ５０Ｌ，５０Ｒの撮像が行なわれると、左右の撮像画像データは、画像処理部７１０に与えられ、一時記憶部７１１を介して、合成部７１２に与えられる。ここでは、被写体の背景色（例えば青）データに対して、背景画像データの置換が行なわれる。これにより、左右の撮像画像には、それぞれ背景像（左右の撮像背景像）が挿入された状態となっている。この背景画像データが挿入された左右画像データは、一時記憶部７１３に一時格納される。次にプリントアウトタイミングに、プリントアウト部７１４に送られて、左右画像写真として、プリントアウトされる。
【００３７】
このプリントアウトされた左右の写真は、図１ないし図６で説明したようにカードセットとして利用される。
【００３８】
上記したカメラ５０Ｌ，５０Ｒはデジタルカメラとして説明した。しかしこれに限らず、ビデオカメラであってもよい。また、上記の装置では、左右の立体写真を得るとして説明したが、左右のビデオ信号を得るようにしてもよい。この場合は、プリントアウト部は、ビデオ録画部（ディスク、或はテープを媒体とする）として製作される。ユーザは、ビデオ録画部で立体画像を記録したディスクあるいはテープを取り出して持ち帰ることになる。
【００３９】
次に、料金収集システムについて簡単に説明する。本装置では、操作部を操作するまえに所定の料金を料金投入部に投入することにより、メイン電源がオンし、当該操作部を操作することができるようになっている。また背景画は、そのサンプルが予め番号付で操作部に表示されており、ユーザは、その番号を指定することで所望の背景画を選択できるようになっている。
【００４０】
【発明の効果】
以上説明したようにこの発明によれば、立体視を可能とし、臨場感を提供することが可能なたカードセットを提供できる。この発明のは、立体視を可能とする写真を得る場合、その輻輳角を自動的に調整し得、背景画と人物との立体視において、違和感のない立体写真を得ることができる立体撮像装置を提供できる。
【図面の簡単な説明】
【図１】図１は、この発明のカードセットの一実施の形態に係る本体を概略的に示す展開図である。
【図２】図２は、図１に示した本体の裏面を概略的に示す展開図である。
【図３】図３は、図１に示した本体をＡ−Ａ線で破断したときの断面図である。
【図４】図４の（ａ）及び（ｂ）は、それぞれこの発明のカードセットに適用されるカードの表裏面のレイアウト例を示す図である。
【図５】図５の（ａ）は、図１に示した本体を三つ折にしたときの状態を示す底面図であり、図５の（ｂ）は、本体を三つ折にしたときの正面図である。
【図６】図６は、この発明のカードセットの使用方法を説明するための図である。
【図７】この発明に係る立体撮像装置の利用形態を示す説明図。
【図８】この発明に係る立体撮像装置による写真（右のみ）を示す説明図。
【図９】この発明に係る立体撮像装置が輻輳角により影響を受ける場合の基本的原理を説明するために示した説明図。
【図１０】この発明に係る立体撮像装置の内部構成ブロックを示す説明図である。
【符号の説明】
１００…本体、１１０…第１面、１２０…第２面、１２１…第１接眼レンズ、１２２…第２接眼レンズ、１２３…第１切欠部、１３０…第３面、１３１…収容部、１３２…第２切欠部、１３３…開口部、１３４…収容空間、１４１、１４２…マーク、２００…カード、２１０…右眼用画像、２２０…左眼用画像。
【図１】
2004008455.tif 000003
【図２】
2004008455.tif 000004
【図３】
2004008455.tif 000005
【図４】
2004008455.tif 000006
【図５】
2004008455.tif 000007
【図６】
2004008455.tif 000008
【図７】
2004008455.tif 000009
【図８】
2004008455.tif 000010
【図９】
2004008455.tif 000011
【図１０】
2004008455.tif 000012